(57)【要約】      （修正有）【課題】着脱が簡単で、発熱等の影響や装着性の問題を解消した頭部装着装置を提供する。【解決手段】人体頭部の耳上部に装着されて後頭部より後方まで伸びるメインフレーム１と、そのメインフレーム１の耳上部側に取り付けられる電子機器４と、メインフレーム１の後頭部より後方側に取り付けられ人体に影響を及ぼす部品と、メインフレーム１に前端が結合されて後端が後頭部近傍に位置するサブフレーム２と、を備える。そして、サブフレーム２はメインフレーム１に対し前端で回動可能に結合３されている。例えば、電子機器４は光学機器で、人体に影響を及ぼす部品は発熱部品である。【選択図】図２
2013194799.tif 000002
【特許請求の範囲】
【請求項１】
人体頭部の耳上部に装着されて後頭部より後方まで伸びるメインフレームと、
前記メインフレームの耳上部側に取り付けられる電子機器と、
前記メインフレームの後頭部より後方側に取り付けられ人体に影響を及ぼす部品と、
前記メインフレームに前端が結合されて後端が後頭部近傍に位置するサブフレームと、を備えることを特徴とする頭部装着装置。
【請求項２】
前記サブフレームは前記メインフレームに対し前端で回動可能に結合されていることを特徴とする請求項１に記載の頭部装着装置。
【請求項３】
前記電子機器は光学機器で、
前記人体に影響を及ぼす部品は発熱部品であることを特徴とする請求項１または２に記載の頭部装着装置。
【請求項４】
前記メインフレーム及びサブフレームは、人体頭部の左右に前端が位置して後頭部の後方に連続して後端が位置する平面視Ｕ字型をなすことを特徴とする請求項１から３のいずれか一項に記載の頭部装着装置。
【請求項５】
前記メインフレームの前端側に取り付けられる耳掛けを備えることを特徴とする請求項１から４のいずれか一項に記載の頭部装着装置。
【請求項６】
前記平面視Ｕ字型のメインフレームの前端側の左右両側に前記電子機器をそれぞれ備えることを特徴とする請求項４または５に記載の頭部装着装置。
【発明の詳細な説明】
【技術分野】
【０００１】
本発明は、人体の頭部に着脱自在に装着する装置に関する。
【背景技術】
【０００２】
特許文献１において、装置本体内部の異常な温度上昇から各部品の劣化、装置の誤作動等を防止すると共に、装置外装部が吸熱した状態下における観察者の保護をなし得る頭部装着型映像表示装置が提案される。
この頭部装着型映像表示装置は、映像表示手段と、その映像表示手段を駆動するための駆動回路と、映像表示手段を照明する照明系と、映像表示手段から射出された光束を用いて射出瞳を形成する接眼光学系と、これらを観察者の頭部に支持固定する支持部材とからなり、装置本体及びその支持部に通気孔、通気路及びファンを設け、装置本体の電源スイッチを入れた後一定時間を経過した後にファンが回転するように構成されている。
【先行技術文献】
【特許文献】
【０００３】
【特許文献１】特開平９−３４３７６号公報
【発明の概要】
【発明が解決しようとする課題】
【０００４】
しかし、特許文献１の頭部装着型映像表示装置は、頭部を囲む形状の支持部材と頭頂部フレームを備える大型のものであり、ヘッドホンのように簡単に着脱できるものではなかった。
【０００５】
ところで、頭部に装着する、無線ヘッドホンや携帯電話用ヘッドセットのような機器で、平面視Ｕ字型のフレームの両端にイヤホンを備え、回路基板や電池を後頭部に位置するフレーム中央に配置することが考えられる。
その場合、耳の穴と耳たぶやその周辺の頭部圧接により機器は保持されるが、頭や髪の形によっては、後頭部に位置するフレーム中央が、後頭部や首に接触し、あるいは接触しなくても、発熱した回路基板の熱が後頭部や首に伝わって違和感を与える心配がある。
また、頭部への圧接や耳の穴への挿入や耳たぶへの引っ掛かりなど違和感を与える心配もある。
さらに、耳付近にカメラを備える場合、装着時の傾きによりカメラの向き（光軸）が必ずしも装着者の目の向きに一致しないという問題も考えられる。
【０００６】
本発明の課題は、着脱が簡単で、発熱等の影響や装着性の問題を解消した頭部装着装置を提供することである。
【課題を解決するための手段】
【０００７】
以上の課題を解決するため、本発明は、
人体頭部の耳上部に装着されて後頭部より後方まで伸びるメインフレームと、
前記メインフレームの耳上部側に取り付けられる電子機器と、
前記メインフレームの後頭部より後方側に取り付けられ人体に影響を及ぼす部品と、
前記メインフレームに前端が結合されて後端が後頭部近傍に位置するサブフレームと、を備える頭部装着装置を特徴とする。
【発明の効果】
【０００８】
本発明によれば、頭部への着脱が簡単に行えて、発熱等の影響や装着性の問題も解消することができる。
【図面の簡単な説明】
【０００９】
【図１】本発明を適用した頭部装着装置の一実施形態の構成を示すもので、基本構成を示した頭部装着状態の側面図である。
【図２】図１の基本構成に電子機器を備えた状態を示した図である。
【図３】図２の頭部装着装置の斜視図である。
【図４】図２の頭部装着装置のフレーム構造を示す断面図である。
【図５】図２の頭部装着装置を頭の小さい人に装着してサブフレームを回動した図である。
【図６】実施形態２を示すもので、頭部装着装置を頭の小さい人に装着した側面図である。
【図７】実施形態３を示すもので、頭部装着装置の斜視図である。
【図８】実施形態４を示すもので、頭部装着装置の斜視図である。
【発明を実施するための形態】
【００１０】
以下、図を参照して本発明を実施するための形態を詳細に説明する。
（実施形態１）
図１は本発明を適用した頭部装着装置の一実施形態の構成として基本構成を示したもので、１はメインフレーム、２はサブフレーム、３は結合部である。
【００１１】
図示のように、メインフレーム１は、人体の頭部を挟む平面視Ｕ字型で、人体頭部の耳上部に装着される左右の側面視円弧状をなす前部１１から後頭部より後方まで大きく伸びる後方部１２で左右方向に連続している。このメインフレーム１に対し下側に位置するサブフレーム２が前端の結合部３で回動可能に結合されている。
【００１２】
サブフレーム２は、メインフレーム１と同様に平面視Ｕ字型で、メインフレーム１の前部１１の後側に結合部３を介して回動可能に結合した左右の前端から後頭部より後方まで伸びる後方部２２で左右方向に連続している。
【００１３】
そして、メインフレーム１の左右の前部１１の一方には、図２及び図３に示すように、電子機器として光学機器の一つであるカメラ４が一体に取り付けられている。このカメラ４は、レンズ及びＣＭＯＳなどの撮像素子からなるユニットである。
【００１４】
以上において、メインフレーム１は、樹脂により形成された中空状で、その後方部１２の内部に、図４に示すように、通電駆動により発熱部品となる回路基板５が収納されている。この回路基板５には、電源回路、画像処理エンジン、メモリーなどが搭載されている。なお、回路基板５と前記カメラ４は、同軸ケーブルやＦＰＣなどの導線５１を介して電気的接続されている。
【００１５】
また、サブフレーム２は、前端に一体に備える回転軸３１を介してメインフレーム１に対し下側で回動自在に結合されている。
このサブフレーム２は、一定の柔軟性を具備する樹脂などにより形成された中空状で、その後方部２２の内部に電池６が収納されている。この電池６と前記回路基板５も、同軸ケーブルやＦＰＣなどの導線６１を介して電気的接続されている。
【００１６】
このように、熱に弱い電池６をサブフレーム２の後方部２２に収納して、メインフレーム１の後方部１２に収納した通電駆動により発熱する回路基板５から確実に離した配置となっている。
【００１７】
ここで、サブフレーム２は、メインフレーム１に対し回転軸３１で一定トルクを保持して回動する。
また、サブフレーム２は、図示のように、スリット及び先端の楔形状部を有する回転軸３１をメインフレーム１の回転軸挿通穴に対し挿し抜きすることで着脱可能である。
【００１８】
そして、メインフレーム１内の導線５１とサブフレーム２内の導線６１は、メインフレーム１の回転軸挿通穴に露出させた接点バネ５２と、サブフレーム２の回転軸３１外周に露出させた接点６２とにより電気的接続される。
【００１９】
以上の構成による頭部装着装置は、図２に示すように、メインフレーム１の左右の側面視円弧状をなす前部１１で、人体頭部の耳上部を挟むように装着して、サブフレーム２を前端の結合部３で回動し、その後方部２２を後頭部に接するか近接した位置に調節する。
こうして、カメラ４の向きを前方に合わせる。
【００２０】
このように、簡単に頭部に装着することができる。
そして、後方部２２を後頭部に接するか近接した位置に調節するサブフレーム２により、メインフレーム１の後方部１２に収納した回路基板５を後頭部や首から確実に離して、通電駆動により発熱する回路基板５から後頭部や首に熱を伝わりにくくすることができる。
【００２１】
また、メインフレーム１の左右の前部１１による耳上部と、サブフレーム２の後方部２２による後頭部の三点で接触させて、安定した装着とすることもできる。
【００２２】
図５は頭部装着装置を頭の小さい人に装着してサブフレーム２を回動したもので、図示のように、サブフレーム２を下側に回動して、頭の小さい人に対応することができる。
【００２３】
さらに、サブフレーム２は、角度可変に加えて、スリット及び先端の楔形状部を有する回転軸３１をメインフレーム１の回転軸挿通穴に挿し抜きして着脱可能なことから、人それぞれの頭部形状・サイズや髪形や帽子やヘルメットに応じて、角度を変えたり、サブフレーム２を交換したりして対応することができる。
また、サブフレーム２に汗や整髪量が付いたら、外して洗うこともできる。
【００２４】
そして、電池６の交換は、サブフレーム２ごと交換することが可能である。
また、電池６をサブフレーム２から外さなくてよいので、防水性の維持も容易となる。
【００２５】
（変形例）
以上の実施形態では、メインフレームの後方部に発熱部品として回路基板を設けたが、本発明はこれに限定されるものではなく、他の発熱部品や電磁波を発生する部品など人体に影響を及ぼす部品であればよい。
また、実施形態では、サブフレームを中空としたが、中実の棒でもよい、
さらに、メインフレームの左右の前部に小型スピーカーを配置して、ヘッドホン機能を具備させてもよい。
【００２６】
（実施形態２）
図６は実施形態２を示すもので、前述した実施形態１と同様、１はメインフレーム、１１は前部、１２は後方部、２はサブフレーム、２２は後方部、３は結合部、４はカメラである。
【００２７】
実施形態２は、図示のように、頭の小さい人に対応して、小さい（短い）サブフレーム２としたものである。
【００２８】
（実施形態３）
図７は実施形態３を示すもので、前述した実施形態１と同様、１はメインフレーム、１１は前部、１２は後方部、２はサブフレーム、２２は後方部、３は結合部、４はカメラであって、７は耳掛けである。
【００２９】
実施形態３は、図示のように、左右の結合部３に耳掛け７をそれぞれ設けたものである。
【００３０】
このように、左右の耳掛け７を耳に掛けて、頭部装着装置の装着性をさらに安定させるようにしてもよい。
【００３１】
（実施形態４）
図８は実施形態４を示すもので、前述した実施形態３と同様、１はメインフレーム、１１は前部、１２は後方部、２はサブフレーム、２２は後方部、３は結合部、４はカメラ、７は耳掛けであって、８は電子機器である。
【００３２】
実施形態４は、図示のように、メインフレーム１のカメラ４と反対側の前部１１に電子機器８を取り付けて、左右の重量バランスを安定させたものである。
電子機器８としては、電池やカメラやＬＥＤライトでもよい。
【００３３】
（他の変形例）
以上の実施形態においては、平面視Ｕ字型のフレームとしたが、本発明はこれに限定されるものではなく、片耳に掛ける形状のアーム状のフレームであってもよい。
また、フレームの形状等も任意であり、その他、具体的な細部構造等についても適宜に変更可能であることは勿論である。
【００３４】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
人体頭部の耳上部に装着されて後頭部より後方まで伸びるメインフレームと、
前記メインフレームの耳上部側に取り付けられる電子機器と、
前記メインフレームの後頭部より後方側に取り付けられ人体に影響を及ぼす部品と、
前記メインフレームに前端が結合されて後端が後頭部近傍に位置するサブフレームと、を備えることを特徴とする頭部装着装置。
＜請求項２＞
前記サブフレームは前記メインフレームに対し前端で回動可能に結合されていることを特徴とする請求項１に記載の頭部装着装置。
＜請求項３＞
前記電子機器は光学機器で、
前記人体に影響を及ぼす部品は発熱部品であることを特徴とする請求項１または２に記載の頭部装着装置。
＜請求項４＞
前記メインフレーム及びサブフレームは、人体頭部の左右に前端が位置して後頭部の後方に連続して後端が位置する平面視Ｕ字型をなすことを特徴とする請求項１から３のいずれか一項に記載の頭部装着装置。
＜請求項５＞
前記メインフレームの前端側に取り付けられる耳掛けを備えることを特徴とする請求項１から４のいずれか一項に記載の頭部装着装置。
＜請求項６＞
前記平面視Ｕ字型のメインフレームの前端側の左右両側に前記電子機器をそれぞれ備えることを特徴とする請求項４または５に記載の頭部装着装置。
【符号の説明】
【００３５】
１  メインフレーム
１１  前部
１２  後方部
２  サブフレーム
２２  後方部
３  結合部
３１  回転軸
４  電子機器
５  人体に影響を及ぼす部品
５１  導線
５２  接点バネ
６  電池
６１  導線
６２  接点
７  耳掛け
８  電子機器
【図１】
2013194799.tif 000003
【図２】
2013194799.tif 000004
【図３】
2013194799.tif 000005
【図４】
2013194799.tif 000006
【図５】
2013194799.tif 000007
【図６】
2013194799.tif 000008
【図７】
2013194799.tif 000009
【図８】
2013194799.tif 000010